(57)【要約】【課題】ハンズフリー装置と携帯電話機の消費電力を低減することができるハンズフリー装置を提供すること。【解決手段】通信する際に携帯電話機８から発する電波をハンズフリー装置本体３からの電源の供給がなくても検知するとともに、検知信号を出力できる検知手段を設け、検知手段からの検知信号があるとハンズフリー装置本体３を起動させるようにし、検知手段がクランクパターンアンテナ２１１を含む検波回路２１であり、通信の際に携帯電話が発する電波をクランクパターンアンテナ２１１で受信し、携帯電話を取り付けておく保持部２を設け、保持部２に検知手段を設けるようにした。【選択図】        図１
2004274378.tif 000002
【特許請求の範囲】
【請求項１】
車内に持ち込んだ携帯電話機を手に持たずに使用するハンズフリー装置において、
通信する際に携帯電話機から発する電波をハンズフリー装置本体からの電源の供給がなくても検知するとともに、検知信号を出力できる検知手段を設け、同検知手段からの検知信号があるとハンズフリー装置本体を起動させるようにしたことを特徴とするハンズフリー装置。
【請求項２】
請求項１に記載されたハンズフリー装置において、
検知手段からの検知信号が途絶えるとハンズフリー装置本体の電源を切るようにしたことを特徴とするハンズフリー装置。
【請求項３】
請求項１または請求項２に記載されたハンズフリー装置において、
通話終了の際にハンズフリー装置本体の電源を切るようにしたことを特徴とするハンズフリー装置。
【請求項４】
請求項１〜請求項３に記載されたハンズフリー装置において、
検知手段が、パターンアンテナを含む検波回路であり、通信する際に携帯電話機が発する電波をパターンアンテナで受信することを特徴とするハンズフリー装置。
【請求項５】
請求項１〜請求項４に記載されたハンズフリー装置において、
携帯電話機を取り付けておく保持部を設け、同保持部に検知手段を設けるようにしたことを特徴とするハンズフリー装置。
【発明の詳細な説明】
【０００１】
【発明の属する技術分野】
本発明は、車両に持ち込んだ携帯電話機を手で持たずに使用するハンズフリー装置の技術分野に属する。
【０００２】
【従来の技術】
車内に持ち込んだ携帯電話機を持たずに通話するハンズフリー装置は、携帯電話機のインターフェースに接続し、携帯電話機の発着呼信号等を受信後、外部音声通話への切り替えを行う処理をしていた。これに対し、従来のハンズフリー装置では、携帯電話機と後位機器との直接接続を行わず、無線による音声通話を利用し、非使用状態では、周期的に受信信号等をチェックして、電力の消費を抑えた状態である節電モードに切り替えるようにしている。（例えば、特許文献１参照。）。
【０００３】
一方、パターンアンテナを内蔵する電子機器は、非屈曲性アンテナ基板の指向性を考慮する意味で、メイン基板に対してパターンが形成されているアンテナ基板を垂直固定している（例えば、特許文献２参照。）。
【０００４】
また、メイン基板内でパターン形成しているものもある（例えば、特許文献３参照。）。
【０００５】
また、屈曲性基板上にスパイラル状またはジグザグ状に形成したアンテナを有するものもある（例えば、特許文献４参照。）。
【０００６】
【特許文献１】
特開２００１−２４５０３３号公報
【０００７】
【特許文献２】
特開２００１−３４５６２１号公報
【０００８】
【特許文献３】
特開２００２−７６７３５号公報
【０００９】
【特許文献４】
特開平５−７１０９号公報
【００１０】
【発明が解決しようとする課題】
しかしながら、従来のハンズフリー装置にあっては、節電モードにしておくかどうかを監視するために周期的に信号の有無を確認していたため、携帯電話に接続する後位機器は常に動作状態であるため、携帯電話機から後位機器に信号が流れてしまい携帯電話機の電池容量を低下させる問題点があった。
【００１１】
本発明は、上記問題点に着目してなされたもので、その目的とするところは、ハンズフリー装置と携帯電話機の消費電力を低減することができるハンズフリー装置を提供することにある。
【００１２】
【課題を解決するための手段】
上記目的を達成するため、請求項１記載の発明では、車内に持ち込んだ携帯電話機を手に持たずに使用するハンズフリー装置において、通信する際に携帯電話機から発する電波をハンズフリー装置本体からの電源の供給がなくても検知するとともに、検知信号を出力できる検知手段を設け、検知手段からの検知信号があるとハンズフリー装置本体を起動させるようにしたことを特徴とする手段とした。
【００１３】
請求項２記載の発明では、検知手段からの検知信号が途絶えるとハンズフリー装置本体の電源を切るようにしたことを特徴とする手段とした。
【００１４】
請求項３記載の発明では、通話終了の際にハンズフリー装置本体の電源を切るようにしたことを特徴とする手段とした。
【００１５】
請求項４記載の発明では、検知手段がパターンアンテナを含む検波回路であり、通信の際に携帯電話機が発する電波をパターンアンテナで受信することを特徴とする手段とした。
【００１６】
請求項５記載の発明では、携帯電話機を取り付けておく保持部を設け、保持部に検知手段を設けるようにしたことを特徴とする手段とした。
【００１７】
【発明の作用と効果】
請求項１記載の発明では、車内に持ち込んだ携帯電話が通信する際には、着信に応答するために電波で信号を発したり、通信を要求するために電波で信号を発したりする。携帯電話機から電波の発信があると、検知手段がこの電波を検知するとともに、検知信号を発する。この検知信号によって、ハンズフリー装置本体を起動させるようにする。これにより、ハンズフリー装置は、携帯電話機との電気信号のやりとりなしで、発着信を検知して起動できるので、ハンズフリー装置が携帯電話の着信を検知するために、携帯電話機の電流を消費することがなくなる。よって、携帯電話の消費電流を抑えることができる。また、検知手段は電源を必要とせず検知が行えるため、ハンズフリー装置は使用しない状態では電源ＯＦＦの状態にできるので、ハンズフリー装置の消費電流を非常に低減できる。このことは、近年、車載装置が多機能化する中で、省エネルギー化を欲される車にとって大変効果が高い。
【００１８】
請求項２記載の発明では、検知手段からの検知信号が途絶えると、それは、通話が終了したために携帯電話機から電波の発信がなくなったことを示すため、ハンズフリー装置本体の電源を切る。よって、無駄な電流の消費を抑えることができ、ハンズフリー装置の消費電流を非常に低減できる。
【００１９】
請求項３記載の発明では、ハンズフリー装置を使用した通話が終了すると、ハンズフリー装置本体の電源を切るようにして、無駄な電流の消費を抑えることができる。
【００２０】
請求項４記載の発明では、携帯電話が発着信して電波を発すると、その電波をパターンアンテナで受信し、検波回路によりパターンアンテナで受信した電波を受信電流としてハンズフリー装置本体に流すことでハンズフリー装置を起動させるようにして、携帯電話機との信号のやりとりなしで、検知が行え、ハンズフリー装置からの電源の供給なしで、検知信号を発する検知手段にできる。よって、簡単な構成でコストを抑制できる。
【００２１】
請求項５記載の発明では、車内に持ち込んだ携帯電話機を保持部に取り付けてハンズフリー装置で使用するようにする。この保持部には検知手段を設けているので、携帯電話機に近接した位置で確実に携帯電話機の着信状態を検知できる。よって、より確実に検知を行うことができる。
【００２２】
【発明の実施の形態】
以下、本発明のハンズフリー装置を実現する実施の形態を、請求項１，２，３，４，５に係る発明に対応する実施例に基づいて説明する。
【００２３】
（実施例）
【００２４】
まず、構成を説明する。
図１は実施例のハンズフリー装置の説明図である。図２は実施例のハンズフリー装置のパターンアンテナと検波回路の説明図である。図３は実施例のハンズフリー装置のブロック図である。図４は実施例のハンズフリー装置で実行する処理の流れを示すフローチャート図である。
図１〜３における主要符号を説明すると、１はハンズフリー装置、２は保持部、２１は検波回路、２１１はクランクパターンアンテナ（パターンアンテナ）、２１１ａは表裏導通ｖｉａホール、２１１ｂは表面クランクパターン、２１１ｃは裏面クランクパターン、２１２はダイオード、２１３はコンデンサ、３はハンズフリー装置本体、３１は制御回路、３２は電源制御回路、３３はエコーキャンセラー、３４は増幅部、３５はインターフェース、３６は通話ボタン、４は１６芯プラグ、５はイヤホンマイクプラグ、６はマイク、７はスピーカ、８は携帯電話機、８１はイヤホンマイクジャック、８２は１６芯レセプタクルである。
【００２５】
本実施例のハンズフリー装置１は、図１，３に示すように、ハンズフリー装置本体３が、各回路部を制御する制御回路３１、ハンズフリー装置１の電源のＯＮ・ＯＦＦを制御する電源制御回路３２、外部との信号のやりとりを行うためのインターフェース３５、同じ音声が遅れて入出力されておこるエコー感をなくすためのエコーキャンセラー３３、音声を増幅して入出力する増幅部３４からなる。
【００２６】
インターフェース３５には携帯電話機８の１６芯レセプタクル８２に接続するための１６芯プラグ４を接続するように設ける。この１６芯プラグ４の代わりに、イヤホンマイクジャック８１をインターフェース３５に接続するように設け、携帯電話機８のイヤホンマイクジャック８１にイヤホンマイクプラグ５接続するようにしてもよい。
【００２７】
また、インターフェース３５には、ハンズフリー装置を操作して電話をかける際に使用する通話ボタンを設けて接続する。
【００２８】
ハンズフリー装置本体３の増幅部３４には、音声を入力するためのマイク６、音声を出力するためのスピーカ７を接続するように設ける。
【００２９】
実施例のハンズフリー装置本体３、マイク６、スピーカ７、通話ボタンは図示しないが、車両のインストルメントパネルに一体的に設けられる。
【００３０】
次に、図１に示すように、携帯電話を保持する保持部２を設ける。保持部２には、携帯電話の背面に近接した部分を設け、この部分に図２に示す検波回路２１を設ける。
この検波回路２１はクランクパターンアンテナ２１１、ダイオード２１２、コンデンサ２１３からなり、信号線によって、ハンズフリー装置本体３の電源制御回路３２に接続される。
【００３１】
この検波回路２１のクランクパターン回路は、フレキシブルプリント基板の表側に表面クランクパターン２１１ｂを設け、裏側に裏面クランクパターン２１１ｃを設け、表面クランクパターン２１１ｂと裏面クランクパターン２１１ｃを表裏導通ｖｉａホール２１１ａで接続したものである。
【００３２】
次に、作用を説明する。
【００３３】
［ハンズフリー装置での制御］
図４は実施例のハンズフリー装置の制御回路で実行される制御の流れを示すフローチャート図で、以下、各ステップについて説明する。
【００３４】
ステップＳ１０１は、初期状態としてハンズフリー装置１を電源ＯＦＦにする。
【００３５】
ステップＳ１０２では、携帯電話機８の着信により発する電波を検波回路２１で検知したかどうかを判断し、検知したならばステップＳ１０３に移行し、検知しないならばステップＳ１０９に移行する。
【００３６】
ステップＳ１０３，ステップＳ１１０では、ハンズフリー装置１の電源をＯＮにする。
【００３７】
ステップＳ１０４では、通話ボタン３６が押し下げられたかどうかを判断し、押し下げられたならばステップＳ１０５に移行し、押し下げられていないならばステップＳ１１１に移行する。
【００３８】
ステップＳ１０５では、ハンズフリー装置１のマイク６、スピーカ７を使用し、携帯電話機８を利用してハンズフリー通話を開始する。
【００３９】
ステップＳ１０６では、通話ボタン３６が押し下げられたかどうかを判断し、押し下げられたならばステップＳ１０７に移行し、押し下げられていないならばステップＳ１１２に移行する。
【００４０】
ステップＳ１０７では、ハンズフリー通話を終了する。
【００４１】
ステップＳ１０８では、ハンズフリー装置１の電源をＯＦＦにする。
【００４２】
ステップＳ１０９では、通話ボタン３６が押し下げられたかどうかを判断し、押し下げられたならばステップＳ１１０に移行し、押し下げられていないならばステップＳ１０２に移行する。
【００４３】
ステップＳ１１１では、携帯電話機８が着信により発する電波を検波回路２１で検知しなくなったかどうかを判断し、検知しなくなったならばステップＳ１０８に移行し、検知しているならばステップＳ１０４に移行する。
【００４４】
ステップＳ１１２では、通信信号から相手側が通信を切断したかどうかを判断し、通信を切断したならばステップＳ１０７に移行し、通信を切断していないならばステップＳ１１３に移行する。
【００４５】
ステップＳ１１３では、携帯電話機８が通話していることにより発する電波を検波回路２１で検知しなくなったかどうかを判断し、検知しなくなったならばステップＳ１０８に移行し、検知しているならばステップＳ１０６に移行する。
【００４６】
［携帯電話機の着信状態を検知してハンズフリー装置を起動する作用およびハンズフリー装置の消費電流を抑制する作用］
携帯電話機８を図１に示すように保持部２に取り付けた状態では、ハンズフリー装置１は電源ＯＦＦの状態にしている。この状態で、携帯電話機８に局から着信信号が送信され、携帯電話機８が着信するか、あるいは、携帯電話から局に向かって通信を要求する信号を発信すると、ＰＤＣ通信方式（Ｐｅｒｓｏｎａｌ  Ｄｉｇｉｔａｌ  Ｃｅｌｌｕｌａｒ  ｓｙｓｔｅｍ）により、携帯電話機８から局に、あるいは局から携帯電話機８に通信が可能であることを示す応答信号が発信される。
【００４７】
この応答信号もしくは通信要求信号が携帯電話機８から発信されると、その電波をクランクパターンアンテナ２１１で受信し検知される。このことはステップＳ１０２で判断される。このクランクパターンアンテナ２１１で発生した検知電流はダイオード２１２とコンデンサ２１３で調節してハンズフリー装置１の電源制御回路３２に送られる。電源制御回路３２は、この検知電流により電源を起動し、ハンズフリー装置１をＯＮ状態にする（ステップＳ１０３）。
このように外から電話が掛かって来てハンズフリー装置１をＯＮにした場合には、その後に通話ボタン３６が押し下げられるとハンズフリー通話を開始するようにする。一方、ハンズフリー通話を開始する前において、通話ボタン３６が押し下げられる前に相手が電話を切るなどして着信がなくなった場合には、通話を終了する。このことはステップＳ１０４，Ｓ１１１で判断される。
【００４８】
また、車両の搭乗者が電話をかける際には、通話ボタン３６を押し下げるように操作する。このことは、ステップＳ１０９で判断され、通話ボタン３６のＯＮにより、電源制御回路３２が電源を起動し、ハンズフリー装置１をＯＮ状態にする（ステップＳ１１０）。
【００４９】
通話ボタンが押し下げられて、ハンズフリー装置１がＯＮ状態になると、所定の通信プロトコルにしたがって携帯電話機８と通信可能状態にして、ハンズフリーで通話が開始される（ステップＳ１０５）。
【００５０】
この通話が終わって、使用する人が通話ボタンを押し下げるか、相手側が電話を切るか、通話していることを検知回路２１が検知しなくなると、電源制御回路３２によりハンズフリー装置１の電源がＯＦＦされる。これにより、車両の搭乗者が通話を終了する場合、相手側が電話を切る場合、電波の状態などにより携帯電話機８での通信がなくなった場合に、ハンズフリー装置１は電源ＯＦＦの状態となり電流の消費が抑えられる。
【００５１】
［携帯電話機の電流の消費を抑える作用］
携帯電話で通信を行っていない状態では、ハンズフリー装置１は電源をＯＦＦにした状態となっており、クランクパターンアンテナ２１１によって、携帯電話機８と信号のやりとりなしにハンズフリー装置１を起動させるため、携帯電話機８から電流が入力されることがないため、携帯電話の電流の消費が抑制される。また、相手側から電話を切るとハンズフリー通話を終了してハンズフリー装置１の電源をＯＦＦにするため、無駄にハンズフリー装置１の電源がＯＮになっていることがなく、また、携帯電話機８と無駄な信号のやり取りがないため、ハンズフリー装置１、携帯電話機８双方の電流の消費が抑制される。
またさらに、電波の状態や相手の電池切れ等により通信が途絶えるような場合にも、検波回路２１による検知がなくなることにより、ハンズフリー装置１の電源をＯＦＦにするため、無駄にハンズフリー装置１の電源がＯＮになっていることがなく、また、携帯電話機８と無駄な信号のやり取りがないため、ハンズフリー装置１、携帯電話機８双方の電流の消費がさらに抑制される。
【００５２】
［検知を確実にする作用］
実施例のハンズフリー装置１では、携帯電話機８を保持する保持部２にクランクパターンアンテナ２１１を設けているので、非常に近い位置で携帯電話機８からの電波を検知する。
【００５３】
次に、効果を説明する。
【００５４】
実施例のハンズフリー装置１にあっては、下記に列挙する効果を得ることができる。
【００５５】
（１）車内に持ち込んだ携帯電話機８を手に持たずに使用するハンズフリー装置１において、通信する際に携帯電話機８から発する電波をハンズフリー装置本体３からの電源の供給がなくても検知するとともに、検知信号を出力できる検知手段を設け、検知手段からの検知信号があるとハンズフリー装置本体３を起動させるようにしたため、携帯電話の消費電流を抑えることができ、ハンズフリー装置１の消費電流を非常に低減できる。
【００５６】
（２）検知手段からの検知信号が途絶えるとハンズフリー装置本体の電源を切るようにしたため、無駄な電流の消費をさらに抑えることができ、ハンズフリー装置の消費電流を非常に低減できる。
【００５７】
（３）通話終了の際にハンズフリー装置本体の電源を切るようにしたため、無駄な電流の消費をさらに抑えることができ、ハンズフリー装置の消費電流を非常に低減できる。
【００５８】
（４）検知手段がクランクパターンアンテナ２１１を含む検波回路２１であり、通信の際に携帯電話が発する電波をクランクパターンアンテナ２１１で受信するため、簡単な構成でコストを抑制できる。
【００５９】
（５）携帯電話を取り付けておく保持部２を設け、保持部２に検知手段を設けるようにしたため、より確実に検知を行うことができる。
【００６０】
以上、本発明のハンズフリー装置を実施例に基づき説明してきたが、具体的な構成については、これらの実施例に限られるものではなく、特許請求の範囲の各請求項に係る発明の要旨を逸脱しない限り、設計の変更や追加等は許容される。
【００６１】
例えば、実施例では、クランクパターンのアンテナを設けていたが、スパイラル状のものやジグザグ状のパターンアンテナでもよい。
【００６２】
また、本実施例では、通信方式としてＰＤＣを用いているが、他の通信方式を用いるようにしてもよい。
【図面の簡単な説明】
【図１】実施例のハンズフリー装置の説明図である。
【図２】実施例のハンズフリー装置のパターンアンテナと検波回路の説明図である。
【図３】実施例のハンズフリー装置のブロック図である。
【図４】実施例のハンズフリー装置で実行する処理の流れを示すフローチャート図である。
【符号の説明】
１  ハンズフリー装置
２  保持部
２１  検波回路
２１１  クランクパターンアンテナ
２１１ａ  表裏導通ｖｉａホール
２１１ｂ  表面クランクパターン
２１１ｃ  裏面クランクパターン
２１２  ダイオード
２１３  コンデンサ
３  ハンズフリー装置本体
３１  制御回路
３２  電源制御回路
３３  エコーキャンセラー
３４  増幅部
３５  インターフェース
４  １６芯プラグ
５  イヤホンマイクプラグ
６  マイク
７  スピーカ
８  携帯電話機
８１  イヤホンマイクジャック
８２  １６芯レセプタクル
【図１】
2004274378.tif 000003
【図２】
2004274378.tif 000004
【図３】
2004274378.tif 000005
【図４】
2004274378.tif 000006